(57)【要約】  本補聴器用補助具は、上面に補聴器（２）の挿入口（３）を有する本体ケース（１）と、この本体ケース（１）内の挿入口（３）に対応する部分に設けた補聴器収納空間（１Ａ）と、この補聴器収納空間（１Ａ）に収納された補聴器（２）を保持する保持部材（１５）と、この保持部材（１５）を操作する操作部（１１）と、補聴器収納空間（１Ａ）に収納された補聴器（２）の電池ケース（５）を開放する開放部（１６）とを備えている。
2011151989.tif 000002
【特許請求の範囲】
【請求項１】
第１面に補聴器が挿入される挿入口を有する本体ケースと、
前記本体ケース内の前記挿入口に対応する部分に設けられた補聴器収納空間と、
前記補聴器収納空間に収納された補聴器を保持する保持部材と、
前記補聴器収納空間に収納された補聴器の電池ケースを開放する開放部と、
を備えている補聴器用補助具。
【請求項２】
前記保持部材を操作して前記補聴器収納空間における前記補聴器の保持状態と非保持状態とを切り換える操作部を、
さらに備えている、
請求項１に記載の補聴器用補助具。
【請求項３】
前記開放部は、前記補聴器収納空間に収納された補聴器の電池ケースを、前記操作部によって前記保持部材が操作された後で開放する、
請求項２に記載の補聴器用補助具。
【請求項４】
前記開放部は、前記操作部によって開放操作される、
請求項３に記載の補聴器用補助具。
【請求項５】
前記操作部は、前記本体ケースの前記第１面において摺動自在に設けられている、
請求項１から４のいずれか１項に記載の補聴器用補助具。
【請求項６】
前記保持部材は、回動中心となる保持部材軸支部と、
前記補聴器収納空間に収納された補聴器に対して突出あるいは退避するように移動する保持爪部と、を有する、
請求項１から５のいずれか１つに記載の補聴器用補助具。
【請求項７】
前記保持部材は、前記保持部材軸支部を中心に回動した際に所定の方向へ摺動することで、前記保持爪部を移動させる保持部材摺動軸を有する、
請求項６に記載の補聴器用補助具。
【請求項８】
前記開放部は、回動中心となる開放部軸支部と、
前記開放部軸支部の外周において、前記補聴器収納空間に収納された補聴器の電池蓋開閉爪を収容する開閉凹部と、を有する、
請求項１から７のいずれか１つに記載の補聴器用補助具。
【請求項９】
前記開放部は、前記開放部軸支部を中心に回動した際に所定の方向へ摺動することで、前記電池蓋開閉爪を移動させる開放部摺動軸を有する、
請求項８に記載の補聴器用補助具。
【請求項１０】
前記操作部と前記保持部材と前記開放部とを連結するとともに、前記本体ケース内に設けられた操作体を、さらに備えている、
請求項２に記載の補聴器用補助具。
【請求項１１】
前記保持部材は、保持部材摺動軸を有し、
前記開放部は、開放部摺動軸を有し、
前記操作部と前記保持部材と前記開放部とを連結するとともに、前記本体ケース内に設けられた操作体を、さらに備えており、
前記操作体は、前記保持部材摺動軸を摺動案内する第１の摺動溝と、
前記開放部摺動軸を摺動案内する第２の摺動溝を有する、
請求項２に記載の補聴器用補助具。
【請求項１２】
前記操作部は、前記本体ケースの前記第１面において回動自在に設けられている、
請求項２に記載の補聴器用補助具。
【請求項１３】
前記操作部は、前記保持部材の保持部材摺動軸を摺動案内させるレールと、前記開放部の開放部摺動軸を摺動案内させる摺動溝と、を有する、
請求項１から９のいずれか１項に記載の補聴器用補助具。
【請求項１４】
前記保持部材は、前記補聴器収納空間内において、前記挿入口が補聴器外周より小さくなるように前記挿入口に沿って設けられた弾性素材によって形成されている、
請求項１に記載の補聴器用補助具。
【請求項１５】
前記開放部を操作する操作部を、さらに備えている、
請求項１４に記載の補聴器用補助具。
【請求項１６】
前記補聴器収納空間に収納された補聴器の電池ケースが開放された状態において、前記電池ケースの正面に設けられた蓋部を、さらに備えている、
請求項１に記載の補聴器用補助具。
【請求項１７】
前記蓋部は、開放された状態の前記電池ケースの正面の位置と退避位置との間において開閉可能である、
請求項１６に記載の補聴器用補助具。
【請求項１８】
前記蓋部は、前記電池ケースの収納空間側に、空気電池を吸着させる磁石を有している、
請求項１６または１７に記載の補聴器用補助具。
【請求項１９】
前記本体ケースは、収納された補聴器と連通する通気口をさらに有している、
請求項１に記載の補聴器用補助具。
【発明の詳細な説明】
【技術分野】
【０００１】
本発明は、補聴器内に装着された電池を交換する際に用いられる補聴器用補助具に関する。
【背景技術】
【０００２】
補聴器内には、例えば、空気電池と呼ばれる一次電池が装着されており、この一次電池は、例えば、１週間程度で電圧レベルが低下してしまうので、交換が必要になる。
しかし、この一次電池は直径数ミリと極めて小さい物であるので、補聴器から一次電池をつまみ出して新しい物と交換するのは、補聴器使用者（例えば、高齢者等）にとっては意外と大変な作業となる。【０００３】
そこで、例えば、特許文献１に示すようなペン型の補聴器用補助具が提案されている。
すなわち、従来のペン型の補聴器用補助具は、その先端に電磁石が装着されており、この電磁石の吸着力によって補聴器内から一次電池を吸着して取り出すように構成されている。
また、空気電池は空気口が開放しているだけで、酸素との化学反応が継続され、その結果として徐々に電池容量が低下してしまう。そこで、下記特許文献２のように、本体ケースの外面に設けた操作体により、スイッチング手段を開閉するとともに、空気電池の空気口を蓋体で開閉することが提案されている。
【先行技術文献】
【特許文献】
【０００４】
【特許文献１】実用新案登録第３１４８８３０号公報
【特許文献２】特開昭５９−２２８３５５号公報
【発明の概要】
【０００５】
上記従来例におけるペン型の補聴器用補助具は、電磁石の吸着力によって、補聴器内から一次電池を吸着して取り出すように構成されている。このため、小さな一次電池を指先でつまみ出す作業が不要となるので、一時電池の交換作業を容易化することができる。
しかしながら、近年の補聴器は益々小型化されているため、補聴器から電池ケースを引き出すこと自体が困難な場合があり、上記従来の電磁石の吸着力を利用したペン型の補聴器用補助具が用意されても、一次電池交換前の電池ケースを引き出す状態で交換作業が停滞してしまうこともある。
【０００６】
特に、高齢者等の補聴器使用者が、例えば、電車内等の不安定な環境下において電池交換をしなくてはならない場合には、手元が揺れる状況で、小さな補聴器本体から電池ケースを引き出してさらに小さい一次電池を交換する必要があるため、電池交換作業をスムーズに行うことは非常に難しい。
また、特許文献２に示された技術を補聴器に適用した場合には、操作体は本体ケースの外面に設けられるが、補聴器の小型化によってこの操作体も必然的に小さくなってしまう。ところが、補聴器使用者の多くは高齢者が多いため、このような小さな操作体は扱いづらく、結果として操作性が低下してしまう。
そこで、本発明は、一次電池交換の作業時における作業の容易性を高めることを目的とするものである。
さらに、本発明は、空気電池の保存性を高めることを目的とするものである。
【０００７】
（課題を解決するための手段）
そしてこの目的を達成するために、本発明の補聴器用補助具は、本体ケースと、補聴器収納空間と、保持部材と、開放部と、を備えている。本体ケースは、第１面に補聴器が挿入される挿入口を有する。補聴器収納空間は、本体ケース内の挿入口に対応する部分に設けられている。保持部材は、補聴器収納空間に収納された補聴器を保持する。開放部は、補聴器収納空間に収納された補聴器の電池ケースを開放する。
【０００８】
（発明の効果）
本発明によれば、上記の構成により、電池交換作業の容易性を高めることができる。
すなわち、本発明によれば、第１面が上向きになる状態で補聴器の電池ケースを開放した後、第１面が下向きになるように本体ケースを逆さまにすることで、開放された電池ケースから電池を自重によって落下させて、電池交換の作業性を高めることができる。
【図面の簡単な説明】
【０００９】
【図１】本発明の実施の形態１における補聴器用補助具の斜視図。
【図２】図１の補聴器用補助具を用いて電池交換が行われる補聴器の上面図。
【図３】図１の補聴器用補助具の上面側から見た分解斜視図。
【図４】図１の補聴器用補助具の下面側から見た分解斜視図。
【図５】図１の補聴器用補助具の要部上面図。
【図６】図１の補聴器用補助具の要部上面図。
【図７】図１の補聴器用補助具の要部上面図。
【図８】図１の補聴器用補助具の要部上面図。
【図９】図１の補聴器用補助具の動作状態を示す一部切欠斜視図。
【図１０】図１の補聴器用補助具の動作状態を示す一部切欠斜視図。
【図１１】図１の補聴器用補助具の動作状態を示す一部切欠斜視図。
【図１２】図１の補聴器用補助具の動作状態を示す一部切欠斜視図。
【図１３】図１の補聴器用補助具の動作状態を示す斜視図。
【図１４】本発明の実施の形態２に係る補聴器用補助具の斜視図。
【図１５】図１４の補聴器用補助具を用いて電池交換が行われる補聴器の上面図。
【図１６】図１４の補聴器用補助具の上面側から見た分解斜視図。
【図１７】図１４の補聴器用補助具の下面側から見た分解斜視図。
【図１８】図１４の補聴器用補助具の要部斜視図。
【図１９】図１４の補聴器用補助具の要部斜視図。
【図２０】図１４の補聴器用補助具の要部上面図。
【図２１】図１４の補聴器用補助具の操作部の状態を表す図。
【図２２】図１４の補聴器用補助具の要部斜視図。
【発明を実施するための形態】
【００１０】
以下に、本発明の補聴器用補助具の一実施形態について、図面とともに詳細に説明する。
（実施の形態１）
図１は、本発明の実施の形態１に係る補聴器用補助具の使用状態を示す図であって、補聴器用補助具の薄い箱状の本体ケース１の上面（第１面）には、補聴器２の挿入口３が設けられている。
補聴器２は、図２に示すように、耳掛け型であって、耳の背面に装着される補聴器本体ケース４の下方には、電池ケース５が開閉軸６を中心にして回動することで開閉可能な状態で収納されている。電池ケース５の開閉は、開閉爪７を爪で操作することによって行われる。また、補聴器本体ケース４の上部には、耳掛けチューブ８を介して、レシーバ９が連結されている。
【００１１】
図１においては、図面の煩雑化を避けるために補聴器本体ケース４から、耳掛けチューブ８、レシーバ９を取り外した状態を示しているが、実際の電池交換作業では、耳掛けチューブ８、レシーバ９が補聴器本体ケース４に装着された状態で行われてもよいし、耳掛けチューブ８、レシーバ９が取り外された状態で行われてもよい。
本体ケース１の挿入口３は、図１に示すように、補聴器本体ケース４の形状に合わせて形成され、かつ補聴器本体ケース４よりも少し大きめの凹部と、補聴器本体ケース４から開放された電池ケース５を露出させる凹部と、を有する。
【００１２】
つまり、後段にて詳細に説明するが、電池ケース５内の電池１０を交換する際には、まず、図２に示すように、補聴器本体ケース４内に電池ケース５が収納された状態で、補聴器本体ケース４を、本体ケース１内の挿入口３に連通する補聴器収納空間１Ａに装着する。次に、操作部１１を操作することで、電池ケース５が補聴器本体ケース４内から外方に引き出される。
これにより、この状態で、挿入口３が下向きになるように本体ケース１を逆さまにすることで、電池１０を電池ケース５から自重によって下方に落下させて、容易に取り出すことができる。
【００１３】
本実施形態の補聴器補助具では、以上のように動作させるために、本体ケース１内に、図３以降に示す各部品が装着されている。
本体ケース１は、図３および図４に示すように、上面側から順に、挿入口３が設けられた上板１２と、中枠１３と、下板１４とを有している。
中枠１３の上面には、保持部材１５が設けられている。また、中枠１３の下面には、開放部１６と、操作体１７とが設けられている。
保持部材１５は、図５に示すように、略二等辺三角形形状を有している。そして、略二等辺三角形の一斜辺の一端側には、保持部材軸支部１８、一斜辺の他端側には保持部材摺動軸１９、底辺側には所定間隔をおいて２個の保持爪２０が、それぞれ設けられている。また、保持部材軸支部１８は、中枠１３の上面に設けられた回動軸２１の外周に回動自在に係合している。
【００１４】
開放部１６は、図７に示すように、略円形を有している。そして、開放部１６は、略円形の中心部分に設けられた開放部軸支部２２と、開放部軸支部２２の外周において補聴器収納空間１Ａに収納された補聴器２の開閉爪７が収容される開閉凹部２３と、開放部軸支部２２の外周の開放部摺動軸２４と、を有している。
操作体１７は、図８に示すように、長板形状を有している。そして、操作体１７は、その長手方向に沿って設けられた保持部材摺動軸１９を摺動案内させる第１の摺動溝２５と、開放部摺動軸２４を摺動案内させる第２の摺動溝２６と、を有している。
【００１５】
第１の摺動溝２５は、図８に示すように、本体ケース１の長手方向に沿って形成されており、その一端側（図８中右端側）が連続した水平溝となっている。一方、その他端側（図８中左端側）では、緩やかに本体ケース１の外周側に湾曲した形状を有している。
また、第２の摺動溝２６は、その一端側（図８中右端側）において、第１の摺動溝２５に対して直交する方向に沿って形成されており、中部から他端側（図８中左端側）において、第１の摺動溝２５の一端側と平行に形成されている。
【００１６】
また、操作体１７には、操作部１１を取り付けるための突起２７が設けられている。つまり、操作体１７の突起２７は、中枠１３の摺動溝２８を貫通し、上板１２の摺動溝２９の下方に配置される。そして、この状態で図４に示すように、操作部１１の下面に設けられた突起３０が、摺動溝２９を貫通後、突起２７に結合される。
保持部材１５の保持部材摺動軸１９は、中枠１３の摺動溝３１を貫通し、第１の摺動溝２５に係合している。なお、摺動溝３１は、第１の摺動溝２５と直交する方向に沿って形成されている。
開放部１６の開放部摺動軸２４は、第２の摺動溝２６に係合している。
【００１７】
以上の構成において、補聴器２の電池１０を交換するときには、図９に示すように、挿入口３を介して、補聴器本体ケース４を補聴器収納空間１Ａに収納させる。この収納時には、まだ、挿入口３には保持爪２０が表出していない。つまり、図９は、使用者が、補聴器本体ケース４を補聴器収納空間１Ａに収納した後、操作部１１を挿入口３側に押し始めた状態を示している。
【００１８】
このように操作部１１が挿入口３側に押されると、図８に示す操作体１７が、図９における左側に押された状態となる。このとき操作体１７の第１の摺動溝２５には、上述のように、保持部材１５の保持部材摺動軸１９が係合している。このため、操作体１７が図９の左側に押されると、保持部材１５の保持部材摺動軸１９は、第１の摺動溝２５の他端側から一端側へと摺動案内される。
【００１９】
この時、図８、図９、図１０に示すように、保持部材摺動軸１９が、保持部材軸支部１８を中心として反時計周りに回動するので、保持爪２０は、補聴器本体ケース４側に押し出される。これにより、補聴器本体ケース４を補聴器収納空間１Ａ内に保持した状態とすることができる。なお、この時、開放部１６の開放部摺動軸２４は、第２の摺動溝２６の内部を、その中央部分まで移動した状態となっている。
【００２０】
続いて、図１１に示すように、操作部１１を左方に押していくと、第１の摺動溝２５の一端側が水平状態となっているので、保持部材１５の保持部材摺動軸１９の位置は変わらない。つまり、補聴器本体ケース４は、継続して保持された状態となっているが、第２の摺動溝２６の一端側は、上述したように、第１の摺動溝２５に直交する方向に沿って形成されている。このため、第１の摺動溝２５に導かれる開放部１６の開放部摺動軸２４は、図１２に示すように、一端側に屈曲しながら移動していく。
【００２１】
これは、開放部１６が開放部軸支部２２を中心に時計回りに回動した結果、開閉凹部２３も図１１に示すように時計回りに回動する。その結果、この開閉凹部２３に係合している開閉爪７も時計周りに大きく回動して、図１に示すように、電池ケース５が挿入口３内に露出した状態となる。この状態で、図１３に示すように、本体ケース１を逆さまにすれば、電池ケース５から電池１０が自重によって落下し、容易に電池１０を取り出すことができる。
【００２２】
その後、本体ケース１は、図１３に示すように挿入口３を下向きにした状態から、再び、図１に示すように挿入口３を上向きにした状態に戻される。その状態で、挿入口３内に表出している電池ケース５内に、新しい電池１０が装填される。さらに、その状態で、操作部１１が、図１３に示すように、挿入口３寄りにある状態から挿入口３から離間する方向（図中右方向）に移動する。すると、開放部１６の開放部摺動軸２４が、図１２に示すように、第２の摺動溝２６における本体ケース１の短手方向に沿った位置から、第２の摺動溝２６の屈曲点を経由して、図１０に示すように、第２の摺動溝２６における本体ケース１の長手方向に沿った位置まで移動する。この時、第２の摺動溝２６は、装置内の各部品の弾性変形等を考慮して、その屈曲点において、第１の摺動溝２５から離れる方向に所定量だけ余分に開放部摺動軸２４を移動させ、開放部摺動軸２４が屈曲点を所定量だけ通過した後、本来の電池ケース５の回動ストローク終端に移動させることができるように、完全に直角に屈曲した形状ではなく、若干変形させた形状を有している。これにより、電池ケース５を確実に補聴器本体内に収納させ、かつ使用者に収納完了を認識させるためのクリック感を感じさせることができる。
【００２３】
つまり、ここでは、開放部１６の開放部摺動軸２４を反時計回りに回動させる時に、電池ケース５を単に閉成するだけの回動量に、さらに回動力を加えて開放部１６を操作する。これにより、補聴器本体ケース４内に確実に収納されるように、電池ケース５を移動させることができる。
そして、電池ケース５を閉じる動作が終わった後、さらに操作部１１を図中右方向に移動させることで、図８に示す操作体１７が図中右方向に移動する。これにより、第１の摺動溝２５に係合している保持部材１５の保持部材摺動軸１９が、図１０に示す状態から、図８に示す他端側、つまり第２の摺動溝２６から離れる側に移動する。これにより、保持部材１５は、保持部材摺動軸１９を軸として時計回りに回動する。その結果、保持爪２０を、挿入口３内から退避させることができる。
【００２４】
つまり、保持爪２０による補聴器本体ケース４の保持が解除され、これにより、電池交換の終わった補聴器本体ケース４を、本体ケース１の補聴器収納空間１Ａ外へと取り出すことができる。なお、操作体１７の左右への移動させた際のクリック感触は、図８に示すクリック感触ピン３２を本体ケース１の突起（図示せず）に係合させることで得ることができる。
【００２５】
（実施の形態２）
図１４は、本発明の実施の形態２に係る補聴器用補助具の使用状態を示す図であって、補聴器用補助具の本体ケース４１の上面（第１面）には、補聴器４２の挿入口４３が設けられている。
補聴器４２は、図１５に示すように、耳掛け型であって、耳の背面に装着される補聴器本体ケース４４の下方には、電池ケース４５が開閉軸４６を中心にして回動することで開閉可能な状態で収納されている。なお、補聴器４２において、電池ケース４５の開閉は、開閉爪４７を爪で操作することで行われる。また、補聴器本体ケース４４の上部には、耳掛けチューブ４８を介して、イヤチップ４９が連結されている。
【００２６】
図１４においては、図面の煩雑化を避けるために補聴器本体ケース４４から、耳掛けチューブ４８、イヤチップ４９を取り外した状態を示しているが、実際の電池交換作業では、これらの耳掛けチューブ４８、イヤチップ４９が補聴器本体ケース４４に装着された状態で行われてもよいし、耳掛けチューブ４８、イヤチップ４９が取り外された状態で行われてもよい。
【００２７】
本体ケース４１の挿入口４３は、図１４に示すように、補聴器本体ケース４４の形状に合わせて形成され、かつ補聴器本体ケース４４よりも少し大きめの凹部と、補聴器本体ケース４４から開放された電池ケース４５を露出させる凹部とを有する。
つまり、電池ケース４５内の空気電池５０を交換する際には、まず、図１５に示すように、補聴器本体ケース４４内に電池ケース４５が収納された状態で、補聴器本体ケース４４が、本体ケース４１内の挿入口４３に連通する補聴器収納空間４１ａに装着される。次に、操作部５１が回転操作されることで、電池ケース４５が開閉軸４６を中心に回動して、補聴器本体ケース４４内から補聴器本体ケース４４外へと引き出される。
【００２８】
このとき、蓋部５２（図２２参照）は閉状態であるため（図１４では蓋部５２は開状態）、図１４に示すように、スライド蓋開閉部５３を、指で図中右方向にスライドさせることにより、空気電池５０を露出させる。
このため、この状態で図１４に示す本体ケース４１を、挿入口４３が下向きになるように逆さまにすることで、空気電池５０を電池ケース４５から自重によって下方に落下させて、容易に取り出すことができる。
【００２９】
さて、このような動作をさせるために、本体ケース４１内には、図１６以降に示す各部品が装着されている。
本体ケース４１は、図１６および図１７に示すように、挿入口４３が設けられた上ケース５４と、フレーム５５とを有している。
フレーム５５の上面側には、保持部材５６と、スライド蓋開閉部５３と、スプリング５３ａとが設けられている。また、フレーム５５の下面側には、開放部５７と、操作部５１とが設けられている。
【００３０】
保持部材５６は、図１８に示すように、略円弧形状の保持部５６ａとＳ字形状のバネ部５６ｂとが連結されている。バネ部５６ｂの一端には、保持部材５６全体を固定する固定部５８ａと、保持部５６ａの回動動作の回動中心となる回動軸５８ｂと、保持部５６ａを回動動作させるための保持部材摺動軸５８ｃとが設けられている。
また、保持部５６ａの内周側の面には、本体ケース４１を支持するために所定間隔を空けて２個の保持爪５９が内向きに設けられている。保持部材摺動軸５８ｃは、フレーム５５を貫通し、後述する操作部５１に連結されている。よって、操作部５１を操作することにより保持部材摺動軸５８ｃが連動し、回動軸５８ｂを回動中心として保持部５６ａを回動動作させることができる。
【００３１】
つまり、保持部材５６は、その両端に設けられた固定部５８ａと回動軸５８ｂとによってフレーム５５に保持されている。保持部材摺動軸５８ｃを中心として保持部５６ａが回動動作を行い、その際に、保持部材５６の略中央部が膨らむように変形する。
これにより、バネ部５６ｂにおいて保持部材５６全体の長さを調整することができる。さらに、この動きによって、保持爪５９を補聴器収納空間４１ａに対して出し入れすることで、補聴器収納空間４１ａに収納された補聴器４２の保持状態と開放状態とを切り換えることができる。
【００３２】
開放部５７は、図１９に示すように、ほぼ楕円板状のベース部６０と、ベース部６０が回動動作を行うための開放部軸支部６１ａと、開放部摺動軸６２と、開閉凹部６３と、を有する。開放部摺動軸６２は、ベース部６０の裏面に設けられており、後述する操作部５１の動きを伝える。開閉凹部６３は、ベース部６０の表面に設けられた開閉爪４７に係合し、ベース部６０の回動動作に連動して電池ケース４５の開閉を行う。
【００３３】
開放部５７は、フレーム５５の裏面側において、回動軸６１ｂに対して開放部軸支部６１ａが係合するように設置されている。開閉凹部６３は、フレーム５５を貫通して本体ケース４１内部に配置される。また、開放部摺動軸６２は、後述する操作部５１と係合することで、操作部５１の動きに連動して開放部軸支部６１ａを回動中心として回動動作を行うことができる。
【００３４】
操作部５１は、図２０に示すように、摺動溝６４と、レール６５とを有している。
操作部５１の中央に設けられた操作部回動孔５１ａは、フレーム５５の裏面側から回動軸６１ｂに係合する。摺動溝６４の両端には、電池ケース開閉リブ６６ａ，６６ｂが設けられている。開放部５７の開放部摺動軸６２が電池ケース開閉リブ６６ａ，６６ｂに当接するまで操作部５１を回転させた後、さらに操作部５１を回転させることにより、開放部５７を動かすことができる。
【００３５】
操作部５１の回動動作においては、摺動溝６４に係合された開放部５７の開放部摺動軸６２が電池ケース開閉リブ６６ａ，６６ｂの間に位置する間は、操作部５１と開放部５７とが連動して動くことはない。そして、開放部摺動軸６２が電池ケース開閉リブ６６ａ，６６ｂの一方に到達したときに、操作部５１の動きに連動して開放部５７が回動動作を行う。これにより、開放部摺動軸６２が電池ケース開閉リブ６６ａ，６６ｂの間に位置する間を遊び区間とし、後述する保持部材５６の動きと連携させることができる。
【００３６】
次に、保持部材摺動軸５８ｃは、操作部５１のレール６５の一端側に位置している状態ではレール６５に乗り上げていないため、操作部５１の外周寄りに位置している。この後、操作部５１を右に回転させていくと、保持部材摺動軸５８ｃが操作部５１のレール６５に乗り上げる。これにより、保持部材摺動軸５８ｃは、操作部５１の中心寄りに移動する。
【００３７】
すなわち、保持部材摺動軸５８ｃが操作部５１のレール６５に乗り上げるか否かによって、保持部材摺動軸５８ｃを操作部５１の径方向に沿って往復動作させることができる。
そして、保持部材摺動軸５８ｃの往復動作が、保持部材５６の動きにつながる。つまり、保持部材摺動軸５８ｃがレール６５に乗り上げていない状態では、保持部材５６の保持爪５９が補聴器収納空間４１ａの外側に退避した状態（補聴器４２の開放状態）となる。また、保持部材摺動軸５８ｃがレール６５に乗り上げている状態では、保持部材５６の保持爪５９が補聴器収納空間４１ａの内向きに突出した状態（補聴器４２の保持状態）となる。
つまり、本実施形態の補聴器用補助具では、操作部５１の回転操作によって、補聴器収納空間４１ａに対して保持爪５９を出し入れすることで、補聴器４２の保持状態と開放状態（非保持状態）とを容易に切り換えることができる。
【００３８】
次に、保持部材５６およびベース部６０の動きの連携について、図２１（ａ）および図２１（ｂ）を用いて説明する。
図２１（ａ）は、補聴器４２が補聴器収納空間４１ａに入れられ、電池ケース４５が補聴器本体ケース４４に収納されている状態を示している。この状態では、開放部摺動軸６２は、摺動溝６４の図中左端に位置しており、保持部材摺動軸５８ｃはレール６５の上には乗り上げていない。ここから操作部５１を図中左方向に回動させると、直ちに保持部材摺動軸５８ｃがレール６５に乗り上げる。このため、保持部材５６が、補聴器４２を保持するために補聴器収納空間４１ａ内に突出する。そして、この保持状態は、操作部５１を図２１における反時計回りに回しきった後も維持される。
【００３９】
一方、開放部摺動軸６２が摺動溝６４内に突出した電池ケース開閉リブ６６ｂに接するまで、操作部５１の動作は開放部５７と連動しない。つまり、図２１（ｂ）に示すように、開放部摺動軸６２が電池ケース開閉リブ６６ｂに当接した後、さらに操作部５１を反時計回りに回転させることにより、開放部摺動軸６２が電池ケース開閉リブ６６ｂに周方向に押される。
これにより、開放部摺動軸６２が操作部５１の動きと連動して動くことで、開放部５７による回動動作が行われる。よって、開閉凹部６３が電池ケース４５を開く方向に作用し、補聴器本体ケース４４から電池ケース４５を開くことができる。
このように、補聴器本体ケース４４から電池ケース４５を引き出して開放する操作としては、操作部５１を回転操作することで、まず、保持部材５６によって補聴器４２が保持される。その後、さらに操作部５１を回転操作することで、開放部５７によって電池ケース４５が補聴器本体ケース４４内から引き出されて開放される。
【００４０】
次に、図２１（ｂ）は、補聴器４２を補聴器収納空間４１ａに入れ、電池ケース４５が補聴器本体ケース４４内から引き出されて開放された状態を示している。この状態では、開放部摺動軸６２は、摺動溝６４の図中右端に位置し、保持部材摺動軸５８ｃはレール６５に乗り上げている。すなわち、保持部材摺動軸５８ｃがレール６５に乗り上げているため、保持部材５６によって補聴器４２が保持された状態となる。
【００４１】
次に、操作部５１を図２１（ｂ）における時計回りに回転させると、開放部摺動軸６２は電池ケース開閉リブ６６ａに当接するまで動作しないため、電池ケース４５が開放状態のままとなる。開放部摺動軸６２が電池ケース開閉リブ６６ａに当接した後、さらに操作部５１を図２１（ｂ）における時計回りに回転させることにより、開放部摺動軸６２が電池ケース開閉リブ６６ａに押され、開放部摺動軸６２が操作部５１の動きと連動して動くことで、開放部５７による回動動作が行われる。これにより、開閉凹部６３が電池ケース４５を閉じる方向に作用し、補聴器本体ケース４４内に電池ケース４５を閉じることができる。
この後、保持部材摺動軸５８ｃがレール６５から離れるため、保持部材５６による補聴器４２の保持状態が解除される。
【００４２】
このように、電池ケース４５を閉じる操作では、操作部５１を操作することにより、保持部材５６によって補聴器４２が保持されている状態を維持しつつ、開放部５７によって電池ケース４５が閉じられた後、保持部材５６による補聴器４２の保持状態が解除されるという一連の動作が行われる。
なお、電池ケース４５の開閉操作を行う際には、保持部材５６と開放部５７との動きの遅動が生じないように制御するために、前述の摺動溝６４の遊び区間の設定が重要となる。
【００４３】
次に、スライド蓋開閉部５３について、図２２を用いて説明する。
スライド蓋開閉部５３は、略長方形状を有しており、その短辺側が円弧形状となっている。また、スライド蓋開閉部５３は、略長方形状の一端側に設けられており開放済みの電池ケース４５の正面を覆う蓋部５２と、天面に設けられており使用者の指によって直接操作される指かけ部６７と、を有している。さらに、スライド蓋開閉部５３は、その背面側に、スライド蓋開閉部５３の摺動動作を行う際のガイドとして設けられた摺動リブ６８と、スライド蓋開閉部５３を閉状態に維持するためのスプリング５３ａを押さえるための押さえリブ６９と、蓋部５２の裏面側に設けられた磁石７０と、を有している。
【００４４】
フレーム５５に設けられたスプリング収納部５３ｂには、スプリング５３ａが収納され、その上部にスライド蓋開閉部５３が配置される（図１６参照）。
このとき、摺動リブ６８は、スプリング収納部５３ｂに係合しており、スライド蓋開閉部５３の摺動動作のガイドを行う。スプリング５３ａの一端が、押さえリブ６９に圧接しているため、通常状態として、スライド蓋開閉部５３は閉状態で保持されている。
【００４５】
空気電池５０を取り出す際には、前述のように、補聴器４２を補聴器収納空間４１ａに入れ、電池ケース４５が補聴器本体ケース４４から開放された状態にした後、指かけ部６７を指で押さえ、図１４中の右方向にスライド蓋開閉部５３を移動させる。これにより、空気電池５０が本体ケース４１の表面に露出する。よって、この状態で、本体ケース４１を逆さまにすれば、空気電池５０を簡単に取り出すことができる。
【００４６】
また、電池ケース４５が開放され、かつ蓋部５２が閉じている状態では、空気電池５０は、蓋部５２の裏に設けられた磁石７０の磁力によって吸着される。なお、図１４に示すように、補聴器４２に装着される空気電池５０は、空気孔７１が天面になるように装着されている。よって、この状態で磁石７０に吸着されると、空気孔７１を磁石７０によって塞ぐことができるため、空気電池５０の消耗を抑制することができる。
【００４７】
また、本体ケース４１には、本体ケース４１に収納された状態の補聴器４２と外気とを連通させる通気口７２が設けられている。
これにより、補聴器４２を本体ケース４１に収納した状態で、本体ケース４１をそのまま乾燥ケースに入れた場合でも、本体ケース４１内の補聴器４２を乾燥させることができる。また、このような保管状態において、電池ケース４５を開放状態にしておくことで、空気電池５０の空気孔７１がスライド蓋開閉部５３の磁石７０によって塞がれているので、保管中における空気電池５０の消耗を抑制することができる。
【００４８】
（他の実施形態）
（Ａ）
上記実施の形態１では、補聴器２を保持する保持部材１５は、操作部１１の操作に連動して進出・退避することで、補聴器収納空間１Ａに収納されている補聴器２の保持・開放の機能を有している例を挙げて説明した。しかし、本発明はこれに限定されるものではない。
例えば、この保持部材１５に代わる構造として、補聴器収納空間１Ａの内壁面の形状が補聴器２の外周より小さくなるように、内壁面に設けられた弾性素材によって保持部材を構成してもよい。
【００４９】
これにより、補聴器２を補聴器収納空間１Ａに圧入するだけで、弾性素材の弾性力によって補聴器２を保持することができる。
この場合には、操作部１１を操作することによる保持部材５６の動作が不要となり、開放部１６によって電池ケース５の開閉を行うだけでよくなるため、より電池交換作業を簡素化することができる。
なお、上記実施の形態２においても、同様の構成を適用することができる。
【００５０】
（Ｂ）
上記実施の形態２において、蓋部５２を開閉自在に構成して、空気電池５０を取り出す際には蓋部５２を開き、一方、空気電池５０を保管する状態では蓋部５２を閉じる例を挙げて説明した。しかし、本発明はこれに限定されるものではない。
例えば、電池交換を考慮しない単なる補聴器用保管具として用いる場合には、蓋部５２の開閉機構を取り除いて、開いた状態の電池ケースの正面に蓋部が常時配置されている構成としてもよい。
【００５１】
（Ｃ）
上記実施形態では、電池交換が行われる補聴器として、耳掛けタイプの補聴器を用いて説明したが、本発明はこれに限定されるものではない。
例えば、耳孔タイプの補聴器等に対しても、本発明の適用は当然に可能である。
【産業上の利用可能性】
【００５２】
本発明では、電池交換時における作業性を高めることができるという効果を奏することから、電池交換が必要な様々な種類の補聴器の電池交換時に広く適用可能である。
【符号の説明】
【００５３】
１      本体ケース
１Ａ    補聴器収納空間
２      補聴器
３      挿入口
４      補聴器本体ケース
５      電池ケース
６      開閉軸
７      開閉爪
８      耳掛けチューブ
９      レシーバ
１０      電池
１１      操作部
１２      上板
１３      中枠
１４      下板
１５      保持部材
１６      開放部
１７      操作体
１８      保持部材軸支部
１９      保持部材摺動軸
２０      保持爪
２１      回動軸
２２      開放部軸支部
２３      開閉凹部
２４      開放部摺動軸
２５      第１の摺動溝
２６      第２の摺動溝
２７      突起
２８      摺動溝
２９      摺動溝
３０      突起
３１      摺動溝
３２      クリック感触ピン
４１      本体ケース
４１ａ    補聴器収納空間
４２      補聴器
４３      挿入口
４４      補聴器本体ケース
４５      電池ケース
４６      開閉軸
４７      開閉爪
４８      耳掛けチューブ
４９      イヤチップ
５０      空気電池
５１      操作部
５１ａ    操作部回動孔
５２      蓋部
５３      スライド蓋開閉部
５３ａ    スプリング
５３ｂ    スプリング収納部
５４      上ケース
５５      フレーム
５６      保持部材
５６ａ    保持部
５６ｂ    バネ部
５７      開放部
５８ａ    固定部
５８ｂ    回動軸
５８ｃ    保持部材摺動軸
５９      保持爪
６０      ベース部
６１ａ    開放部軸支部
６１ｂ    回動軸
６２      開放部摺動軸
６３      開閉凹部
６４      摺動溝
６５      レール
６６ａ，６６ｂ  電池ケース開閉リブ
６７      指かけ部
６８      摺動リブ
６９      押さえリブ
７０      磁石
７１      空気孔
７２      通気口
【図１】
2011151989.tif 000003
【図２】
2011151989.tif 000004
【図３】
2011151989.tif 000005
【図４】
2011151989.tif 000006
【図５】
2011151989.tif 000007
【図６】
2011151989.tif 000008
【図７】
2011151989.tif 000009
【図８】
2011151989.tif 000010
【図９】
2011151989.tif 000011
【図１０】
2011151989.tif 000012
【図１１】
2011151989.tif 000013
【図１２】
2011151989.tif 000014
【図１３】
2011151989.tif 000015
【図１４】
2011151989.tif 000016
【図１５】
2011151989.tif 000017
【図１６】
2011151989.tif 000018
【図１７】
2011151989.tif 000019
【図１８】
2011151989.tif 000020
【図１９】
2011151989.tif 000021
【図２０】
2011151989.tif 000022
【図２１】
2011151989.tif 000023
【図２２】
2011151989.tif 000024
【国際調査報告】
2011151989.tif 000025
2011151989.tif 000026
2011151989.tif 000027
2011151989.tif 000028